(57)【要約】フレキシブルレイヤ１（ＦＬＯ）を用いた再構成方法および装置を提供する。提案される解決策では、シグナリング用途専用に１つのＴＦＣ（トランスポートフォーマットコンビネーション）を選択および確保される（５０４）。ＴＦＣは、アクティブなトランスポートチャネルを１つだけ含み、シグナリングの適切な設定を明白に定義するために、常に同じＣＲＣおよびトランスポートブロックサイズを用いることが可能である。無線システムのアップリンク伝送およびＴＦＣＳ（トランスポートフォーマットコンビネーションセット）の再構成による特殊な場合のＴＦＣＩ（トランスポートフォーマットコンビネーション識別子）のサイズの変更を考慮すれば、新しい専用基本物理チャネル（ＤＢＰＳＣＨ）への切り換えが必要となる。ネットワークが、移動局は新しいＤＢＰＳＣＨに切り換わっていないと認識した場合（５１８）は常に、送信したＴＦＣＳの再構成メッセージが失われ、既存の構成を継続すると判断する（５２０）。それ以外ならば、新しい構成を使用する（５１４）。【選択図】図５
2007515085.tif 000002
【特許請求の範囲】
【請求項１】
無線システムのエアインターフェイスを通じてデータを転送するためにフレキシブルレイヤ１（ＦＬＯ）を用いた前記無線システムで行う再構成方法であって、データフローを担送するトランスポートチャネルの構成を示す複数のトランスポートフォーマットが、トランスポートフォーマットコンビネーション（ＴＦＣ）に含まれ、前記トランスポートフォーマットコンビネーションは、特定の基本物理サブチャネル（ｂａｓｉｃ  ｐｈｙｓｉｃａｌ  ｓｕｂｃｈａｎｎｅｌ）上で有効なトランスポートフォーマットコンビネーションを示すトランスポートフォーマットコンビネーションセット（ＴＦＣＳ）に属し、特定のトランスポートフォーマットコンビネーション識別子（ＴＦＣＩ）を有する１つのトランスポートフォーマットコンビネーションが、シグナリング用途専用に設けられ、さらに前記方法は、
トランスポートフォーマットコンビネーションセットの再構成メッセージであって、シグナリング用途専用の前記特定のトランスポートフォーマットコンビネーション識別子を有する１つのトランスポートフォーマットコンビネーションを示すトランスポートフォーマットコンビネーションセットの再構成メッセージを、前記特定の基本物理サブチャネルを通じてターミナルに送信するステップ（５１０）を含み、それにより
前記メッセージがトランスポートフォーマットコンビネーション識別子のサイズの変化を示す場合（５１２）、前記ターミナルに関連するパラメータの値を確認するステップ（５１８）を含み、それに基づき、
前記メッセージが示す新しい構成を採用するステップ（５１４）、または
既存の構成を継続するステップ（５２０）、
を含む再構成方法。
【請求項２】
前記１つのトランスポートフォーマットコンビネーションが、所定のブロックサイズおよびＣＲＣ（周期的冗長検査）サイズを有する、正確に１つのアクティブなトランスポートチャネルと関連する、請求項１に記載の方法。
【請求項３】
前記パラメータが、前記ターミナルにより使用され、前記ネットワークにより命令される基本物理サブチャネルの変化を示す、請求項１に記載の方法。
【請求項４】
前記パラメータが、実質的に、前記ターミナルにより使用され、前記ネットワークにより命令される基本物理サブチャネルの変化である、請求項１に記載の方法。
【請求項５】
前記特定の識別子がゼロの値をとる、請求項１に記載の方法。
【請求項６】
前記無線システムが、ＧＥＲＡＮ（ＧＳＭ／ＥＤＧＥ無線アクセスネットワーク）を無線アクセスネットワークとして使用する、請求項１に記載の方法。
【請求項７】
前記トランスポートフォーマットコンビネーションセットの再構成メッセージにより示される前記特定のトランスポートフォーマットコンビネーション識別子を有する前記１つのトランスポートフォーマットコンビネーションが、前記メッセージが示す他のトランスポートフォーマットコンビネーションに依存しない、請求項１に記載の方法。
【請求項８】
前記トランスポートフォーマットコンビネーション識別子のサイズが固定された、請求項１に記載の方法。
【請求項９】
前記サイズが、最大許容可能サイズに固定された、請求項８に記載の方法。
【請求項１０】
無線システムのエアインターフェイスを通じてデータを転送するためにフレキシブルレイヤ１（ＦＬＯ）を用いた前記無線システムで使用可能な装置であって、複数のトランスポートフォーマットは、トランスポートフォーマットコンビネーション（ＴＦＣ）に含まれるデータフローを担送するトランスポートチャネルの構成を示すように構成され、前記トランスポートフォーマットコンビネーションは、特定の基本物理サブチャネル上で有効なトランスポートフォーマットコンビネーションを示すトランスポートフォーマットコンビネーションセット（ＴＦＣＳ）に属するように構成され、前記セットは、シグナリング用途専用に設けられたトランスポートフォーマットコンビネーション識別子（ＴＦＣＩ）を有する１つのトランスポートフォーマットコンビネーションを含み、前記装置は、命令およびデータを処理および保存するように構成された処理手段（６０２）およびメモリ手段（６０４）と、データを伝送するように構成されたデータ転送手段（６０８）とを備え、さらに前記装置は、
トランスポートフォーマットコンビネーションセットの再構成メッセージであって、シグナリング用途専用のトランスポートフォーマットコンビネーション識別子を有する１つのトランスポートフォーマットコンビネーションを示すトランスポートフォーマットコンビネーションセットの再構成メッセージを、前記特定の基本物理サブチャネルを通じて第２の装置に伝送し、それにより
前記メッセージがトランスポートフォーマットコンビネーション識別子サイズの変化を示す場合、前記第２の装置に関連するパラメータ値を確認し、それに基き、
前記メッセージが示す新しい構成を採用する、または
既存の構成を継続する、
ように構成される装置。
【請求項１１】
前記装置が、実質的に基地局であるか、基地局コントローラであるか、基地局と基地局コントローラとを組合せたものであるか、または移動局である、請求項１０に記載の装置。
【請求項１２】
前記第２の装置が基地局である、請求項１０に記載の装置。
【請求項１３】
ＧＥＲＡＮ（ＧＳＭ／ＥＤＧＥ無線アクセスネットワーク）無線アクセスネットワークで使用可能な、請求項１０に記載の装置。
【請求項１４】
請求項１のステップを実行するように構成された、コンピュータ実行可能プログラム。
【請求項１５】
請求項１４に記載のコンピュータプログラムを担送する担体媒体。
【発明の詳細な説明】
【技術分野】
【０００１】
本発明は、一般に通信システムに関する。特に本発明は、ＧＥＲＡＮ（ＧＳＭ／ＥＤＧＥ  Ｒａｄｉｏ  Ａｃｃｅｓｓ  Ｎｅｔｗｏｒｋ）およびそのエアインターフェイスに関し、フレキシブルレイヤ１（ＦＬＯ）と呼ばれる特殊タイプの物理レイヤを用いる。
【背景技術】
【０００２】
移動体通信用グローバルシステム（ＧＳＭ）およびＵＭＴＳ（汎用移動体通信システム）のような近代の無線通信システムは、エアインターフェイスを通じて、基地局などのネットワーク要素と移動局（ＭＳ）との間で様々なタイプのデータを伝送することを前提とする。新しいマルチメディアサービスが利用できるようになったことなどにより、転送容量に対する一般需要が持続的に増加しているので、既存のリソースを最大限に活用するために、より効率的な新しい技術が開発されている。
【０００３】
技術報告書、３ＧＰＰ  ４５．９０２［１］では、ＧＥＲＡＮに対して提案された新しい物理レイヤであるフレキシブルレイヤ１のコンセプトを発表している。このコンセプトの精巧さは、チャネルコーディングおよびインターリービングなどを含む物理レイヤが、呼出し設定まで特定されないという事実に依存する。したがって、各リリースと関連する新しいコーディング構成スキームを別々に特定することなく、新しいサービスのサポートをスムーズに処理することができる。
【０００４】
ＦＬＯのコンセプトの開発作業には、幾分厳しい要件が与えられている。例えば、ＦＬＯは、基本物理サブチャネル（ｂａｓｉｃ  ｐｈｙｓｉｃａｌ  ｓｕｂｃｈａｎｎｅｌ）への並列データフローの多重化をサポートし、かつ異なるインターリービング深さのサポート、不均等なエラーの保護／検出、チャネルコーディングレートを減じたデータの塊、および異なる（８ＰＳＫ、ＧＭＳＫなどの）変調を通じたスペクトル効率の最適化を提供しなければならいことである。さらに、この解決策は、古くならずかつ無線プロトコルスタックによってもたらされるオーバーヘッドを最小限に抑えなければならない。
【０００５】
ＧＥＲＡＮリリース５に基づいて、ＭＡＣサブレイヤ（ＦＬＯのレイヤ２）は、論理チャネル（トラフィックまたは制御）と３ＧＰＰ  ＴＳ  ４５．００２［２］に導入された基本物理サブチャネルを処理する。
【０００６】
ＵＴＲＡＮ（ＵＭＴＳ無線アクセスネットワーク）では、ＭＡＣが、エアインターフェイスを通じて与えられたＱｏＳ（品質サービス）を有するデータフローを転送するために、いわゆるトランスポートチャネル（ＴｒＣＨ）を使用する。その結果、呼出し設定において構成される複数のトランスポートチャネルを同時にアクティブにすることができ、物理レイヤで多重化することができる。
【０００７】
これで、ＦＬＯの概念を採用することによって、同様に上述のフレキシブルなトランスポートチャネルをＧＥＲＡＮに用いることもできる。したがって、ＧＥＲＡＮの物理レイヤは、１つまたは複数のトランスポートチャネルをＭＡＣサブレイヤに提供することが可能である。それぞれのトランスポートチャネルは、特定の品質サービス（ＱｏＳ）を提供する１つのデータフローを担送することができる。複数のトランスポートチャネルを多重化して、同じ基本物理サブチャネルに同時に送信することができる。
【０００８】
トランスポートチャネルの構成、すなわち入力ビットの数、チャネルコーディング、インターリービングを、トランスポートフォーマット（ＴＦ）で表す。さらに、複数の異なるトランスポートフォーマットを単一のトランスポートチャネルに関連づけることができる。トランスポートフォーマットの構成は、ＲＡＮ（無線アクセスネットワーク）によって完全に制御され、呼出し設定においてＭＳにシグナリングされる。ＴＦの適切な解釈は、受信端において不可欠であり、またトランスポートフォマットがデータのデコーディングに用いられる構成を定義する。トランスポートフォーマットを設定する場合、ＲＡＮは、例えば複数の所定のＣＲＣ（周期的冗長検査）の長さとブロック長さとの間で選択することができる。
【０００９】
トランスポートチャネル上で、トランスポートブロック（ＴＢ）は、伝送時間間隔（ＴＴＩ）を基準にしてＭＡＣサブレイヤと物理レイヤとの間で交換される。各ＴＴＩに関して、トランスポートフォーマットは、トランスポートフォーマットインジケータ（ＴＦＩＮ）を通じて選択および示される。すなわち、ＴＦＩＮは、特定のＴＴＩの間に特定のＴｒＣＨ上の特定のトランスポートブロックに対して、どのトランスポートフォーマットを使用するかを判断する。トランスポートチャネルが非アクティブである場合、トランスポートブロックサイズがゼロであるトランスポートフォーマット（空のトランスポートフォーマット）が選択される。
【００１０】
限られた数の異なるトランスポートチャネルのトランスポートフォーマットの組合せだけが取り込まれる。有効な組合せを、トランスポートフォーマットコンビネーション（ＴＦＣ）と呼ぶ。基本物理サブチャネル上の一連の有効なＴＦＣを、トランスポートフォーマットコンビネーションセット（ＴＦＣＳ）と呼ぶ。ＴＦＣＳは、計算トランスポートフォーマットコンビネーション（ＣＴＦＣ）を介してシグナリングされる。
【００１１】
受信シーケンスをデコードするために、受信器は、無線パケットに対するアクティブなＴＦＣを承知している必要がある。この情報は、トランスポートフォーマットコンビネーション識別子（ＴＦＣＩ）フィールドに伝送される。上述のフィールドは、基本的にレイヤ１ヘッダーであり、ＧＳＭにおけるビットスチールと同じ機能を有する。ＴＦＣＳ内の各ＴＦＣには一意のＴＦＣＩ値が割り当てられ、無線パケットを受信すると、この値は受信機がデコードする第１の要素となる。デコードしたＴＦＣＩ値を利用することによって、異なるトランスポートチャネルに対するトランスポートフォーマットを判断することができ、実際のデコーディングを採用することができる。
【００１２】
マルチスロットオペレーションの場合には、各基本物理サブチャネルに対して１つのＦＬＯインスタンスがある。各ＦＬＯインスタンスは、レイヤ３によって独立して構成され、結果的に自身のＴＦＣＳを得る。割り当てられた基本物理サブチャネルの数は、ＭＳのマルチスロット機能に依存する。
【００１３】
ＦＬＯは、差し当たり専用チャネルのみに対する使用に制限されるようになり、したがって、ＳＡＣＣＨがＧＥＲＡＮリリース５に基づく独立した論理チャネルとして扱われる２６のマルチフレーム構造を保持する。
【００１４】
例えば、ＦＬＯを通じてコード化した音声を送信するという、非特許文献１に示されるトランスポートフォーマットおよびチャネルのコンセプトを図１に視覚的に表す。音声は、異なるビットレートを有する３つの異なるモード、すなわちモード１、モード２、モード３、および追加的な快適雑音発生モード、すなわちＣＮＧモードを用いて転送される。モード内では、音声ビットは、例えば、音声の再構成段階において、それぞれの種々の重要性に基づいて、３つのトランスポートチャネル、すなわちＴｒＣＨＡ１０２、ＴｒＣＨＢ１０４、およびＴｒＣＨＣ１０６で表される３つの異なるクラスに分類される。この例では任意であるが、例えば、凡例１０８で示したブロックを参照して、ブロック内の番号は、トランスポートチャネルおよびコーデックモードの特定の方法において必要なビット数を示す。したがって、図から、ＴｒＣＨＡが４つのトランスポートフォーマット（０、６０、４０、３０）を含み、ＴｒＣＨＢが３つのトランスポートフォーマット（０、２０、４０）を含み、またＴｒＣＨＣは２つのトランスポートフォーマット（０、２０）しか含まないことに気付くであろう。同時にアクティブとなりうる異なるチャネル上のトランスポートフォーマットを示す、得られるトランスポートフォーマットコンビネーション、ＴＦＣ１乃至ＴＦＣ４を図中に点線で示す。これらすべての有効な組み合わせは、ＣＴＦＣを通じてシグナリングされるＴＦＣＳを構成する。ＣＴＦＣの判断例は、適切なＴＦＣの選択に適用可能な技術に加えて、非特許文献１に見出される。
【００１５】
Ｉｕモードの場合におけるＦＬＯのプロトコルアーキテクチャを図２に示すが、ＭＡＣレイヤ２０８は、複数の論理チャネルか、または複数のＴＢＦ（一時的ブロックフロー）を、例えばＰＤＣＰ（パケットデータコンバージェンスプロトコル）２０４からデータを受信し、ＲＲＣ（無線リソースコントローラ）２０２によって制御されるＲＬＣレイヤ２０６に配置されるＲＬＣエンティティから、物理レイヤ２１０にマップする。仕様書［１］では、論理チャネルを使用するが、将来的にはおそらく一時的なブロックフローのコンセプトと置換されることになろう。ＴＢＦのコンセプトは、非特許文献３にさらに詳細に説明されている。専用チャネル（ＤＣＨ）は、アップリンクまたはダウンリンク方向において１つのＭＳ専用のトランスポートチャネルとして使用することができる。３つの異なるＤＣＨ、すなわちＣＤＣＨ（制御プレーンＤＣＨ）、ＵＤＣＨ（ユーザープレーンＤＣＨ）、およびＡＤＣＨ（関連ＤＣＨ）が導入され、そのうちのＣＤＣＨおよびＵＤＣＨはＲＬＣ／ＭＡＣデータ転送ブロックの伝送に使用され、一方で、ＡＤＣＨはＲＬＣ／ＭＡＣ制御ブロックの伝送を対象とする。移動局は、複数のアクティブなトランスポートチャネルを並行して有することができる。
【００１６】
ＦＬＯのアーキテクチャを、特にＦＬＯのレイヤ１に関して、図３に示す。このバージョンでは、１ステップのインターリービング、すなわち、１つの基本物理サブチャネル上のすべてのトランスポートチャネルが同じインターリービング深さを有すると仮定する。２ステップのインターリービングによる別のアーキテクチャの概要は、非特許文献１に示されている。基本的なエラー検出は、周期的冗長検査によって行われる。トランスポートブロックは、そのブロックに付与されるチェックサムを計算するために、選択した生成多項式を用いるエラー検出に入力される（３０２）。次に、コードブロックと呼ばれる更新されたブロックが、そこに追加的な冗長性を導入して畳み込みチャネルコーダに送られる（３０４）。レートマッチング（３０６）では、エンコードしたブロックのビットは、反復またはパンクチャされる。ブロックサイズを変化させることができるので、トランスポートチャネル上の複数のビットを対応して変動させることも可能である。その結果、対応するサブチャネルの実際に割り当てられたビットレートに一致する全体のビットレートを保持するために、ビットを反復またはパンクチャしなければならない。レートマッチングブロック（３０６）からの出力を無線フレームと呼ぶ。トランスポートチャネルの多重化（３０８）は、マッチングブロック（３０６）から受信したアクティブなトランスポートチャネル、すなわちＴｒＣＨ（ｉ）乃至ＴｒＣＨ（Ｉ）からＣＣＴｒＣＨ（コード化複合トランスポートチャネル）への無線フレームの多重化を処理する。ＴＦＣＩマッピング（３１０）では、ＣＣＴｒＣＨに対してＴＦＣＩを作成する。ＴＦＣＩのサイズは、必要とされるＴＦＣの数に依存する。ＴＦＣＩサイズは、エアインターフェイスを通じた不必要なオーバーヘッドを避けるために最小限に抑えられなければならない。例えば、５ビットのＴＦＣＩは、３２の異なるトランスポートフォーマットコンビネーションを示すことができる。これらが充分でない場合、動的な接続の再構成を行う必要がある。ＴＦＣＩは、（ブロック）コード化され、次いでバースト上でＣＣＴｒＣＨ（ＴＦＣＩとともに無線パケットを構成する）によってインターリーブされる（３１２）。選択したインターリービング技術は、呼出し設定において構成される。
【００１７】
ＲＲＣレイヤ、すなわちＦＬＯのレイヤ３は、トラフィックチャネルの設定、再構成、およびリリースを管理する。新しい接続を作成すると、レイヤ３は、物理的なＭＡＣおよびＲＬＣレイヤを構成するために、より低いレイヤに種々のパラメータを示す。パラメータは、トランスポートチャネルアイデンティティ（ＴｒＣＨ  Ｉｄ）および各トランスポートチャネルに対するトランスポートフォーマット、変調パラメータを有するＣＴＦＣを介したトランスポートフォーマットコンビネーションセット、などを含む。さらに、レイヤ３は、ＣＲＣサイズ、レートマッチングパラメータ、トランスポートフォーマットの動的な属性などのような特定のパラメータをトランスポートチャネルに提供する。トランスポートチャネルおよびトランスポートフォーマットコンビネーションセットは、アップリンクおよびダウンリンク方向において別々に設定可能である。
【００１８】
ＦＬＯが明確にＧＥＲＡＮに提供する多くの有益な特徴にも関わらず、提案された現在のバージョンにはいくつかの欠陥が依然として残る。例えば、ＴＦＣＳの再構成メッセージが、基地局とＭＳとの間に伝送されるが、それが失われるか、または少なくとも受信者によって正確に解釈されない場合、例えば、新旧のＴＦＣＩ間での可能なサイズの差異によって、以降の通信を損なう可能性がある。ネットワークが、実質的に失われたＴＦＣＳの再構成メッセージのＴＦＣ追加／削除を通知し、ＴＦＣＩのサイズが、発信者側のみでの結果（追加→サイズ増、削除→サイズ減）として構成されるというシナリオを考慮すれば、ネットワークもＭＳも、ＴＦＣＩが異なる意味を有することによって、２つの関連する通信端に対して受信したデータパケットを解釈することができない。遠端のパーティはＴＦＣＳの再構成メッセージを適切に受信したが、示されたＴＦＣＳが同期化されずに通信端で使用された場合にも同様な問題が生じる。ＴＦＣＩのサイズがそのままであったとしても、古いＴＦＣＩと今受信したＴＦＣＩとの間の意味が異なることによって、適切な通信が許されないか、または少なくとも通信を著しく妨げる。
【非特許文献１】3GPP TR 45.902 V.6.2.0  技術仕様群  GSM/EDGE，無線アクセスネットワーク；フレキシブルレイヤ１（Rel6）
【非特許文献２】3GPP TS 45.002 V6.3.0  技術仕様群  GSM/EDGE，無線アクセスネットワーク；多重化および無線経路における多重アクセス（Rel6）
【非特許文献３】3GPP TS 44.160  技術仕様群  GSM/EDGE，汎用パケット無線サービス（GPRS）；移動局（MS）−基地局システム（BSS）インターフェイス；無線リンク制御／媒体アクセス制御（RLC/MAC）プロトコルIuモード（Rel6)
【発明の開示】
【００１９】
本発明は、上述の欠点を多少とも解決すること、および、例えば、ＴＦＣＳの再構成が接続の一端によって正確に受信または解釈されなかったり、新しいＴＦＣＳの起動時の同期化の不足によって他のデータ転送接続が一時的に無効になったりしても、ＦＬＯを用いた通信リンク端でのエンティティ間の実行可能なシグナリング接続の保持を容易にする手段を提供することを目的とする。本発明の目的は、１つのＴＦＣを選択してシグナリング用途専用に確保するという、解決策を用いることによって達成される。ＴＦＣは、シグナリング情報を送受信するための適切な設定を明白に定義するために、例えば、アクティブで常に同じ（同じタイプおよび／または同じサイズの）ＣＲＣおよび同じトランスポートブロックサイズを使用するものを１つだけ含めることが可能である。シグナリングＴＦＣのためのＴＦＣＩは、例えば、簡素化の理由からゼロを選択することができる。
【００２０】
再構成によるＴＦＣＩのサイズ変化の特殊なケースを考慮すると、例えば、ネットワークが変化を示すＴＦＣＳの再構成メッセージを移動局に送信した場合、そのメッセージは、ネットワークが命令した新しい専用基本物理サブチャネル（ＤＢＰＳＣＨ）を新しい構成との更なる通信に使用しなければならないことも示す。しかし、ネットワークが、移動局は新しいＤＢＰＳＣＨに切り換わっていないと認識した場合、そのネットワークは、再構成メッセージがおそらくは失われ、既存の（古い）構成を継続し、また、例えば前記再構成メッセージを移動局に再送信すると判断する。一方では、移動局が新しいＤＢＰＳＣＨに切り換わる場合、ネットワークは、再構成メッセージを受信して適切に解釈したことが全く確実であることを承知する。
【００２１】
次に、本発明によるユーティリティについて説明する。ＴＦＣＳの再構成メッセージが依然として失われているか、誤って解釈されたか、あるいは同期化されずに使用されている可能性があるが、少なくともその状況修正および接続全体を機能させておくために不可欠であるシグナリング情報は、シグナリングのための一般に特定の静的なＴＦＣ（および、ＴＦＣＩ）によって幾分は正常に受信することができる。さらに、ＴＦＣＩのサイズが変化する場合の上述のＤＢＰＳＣＨの監視によって、古い構成／ＤＢＰＳＣＨを使用した受信端でのデータの受信が可能である。したがって、伝送された情報は、接続端間で用いた構成における不整合によって失われない。
【００２２】
本発明によれば、無線システムのエアインターフェイスを通じてデータを転送するためにフレキシブルレイヤ１を用いた前記無線システムで行う再構成方法であって、データフローを担送するトランスポートチャネルの構成を示す複数のトランスポートフォーマットが、トランスポートフォーマットコンビネーションに含まれ、前記トランスポートフォーマットコンビネーションは、特定の基本物理サブチャネル上で有効なトランスポートフォーマットコンビネーションを示すトランスポートフォーマットコンビネーションセットに属し、特定のトランスポートフォーマットコンビネーション識別子を有する１つのトランスポートフォーマットコンビネーションが、シグナリング用途専用に設けられ、
トランスポートフォーマットコンビネーションセットの再構成メッセージであって、シグナリング用途専用の前記特定のトランスポートフォーマットコンビネーション識別子を有する１つのトランスポートフォーマットコンビネーションを示すトランスポートフォーマットコンビネーションセットの再構成メッセージを、前記特定の基本物理サブチャネルを通じてターミナルに送信するステップを含み、それにより、
前記メッセージがトランスポートフォーマットコンビネーション識別子のサイズの変化を示す場合、前記ターミナルに関連するパラメータ値を確認するステップを含み、それに基づき、
前記メッセージが示す新しい構成を採用するステップ、または
既存の構成を継続するステップ、を含む再構成方法が提供される。
【００２３】
本発明の他の側面では、無線システムのエアインターフェイスを通じてデータを転送するためにフレキシブルレイヤ１を用いた前記無線システムで使用可能な装置であって、複数のトランスポートフォーマットは、トランスポートフォーマットコンビネーションに含まれるデータフローを担送するトランスポートチャネルの構成を示すように構成され、前記トランスポートフォーマットコンビネーションは、特定の基本物理サブチャネル上で有効なトランスポートフォーマットコンビネーションを示すトランスポートフォーマットコンビネーションセットに属するように構成され、前記セットは、シグナリング用途専用に設けられたトランスポートフォーマットコンビネーション識別子を有する１つのトランスポートフォーマットコンビネーションを含み、前記装置は、命令およびデータを処理および保存するように構成された処理手段（６０２）およびメモリ手段（６０４）と、データを伝送するように構成されたデータ転送手段（６０８）とを備え、
トランスポートフォーマットコンビネーションセットの再構成メッセージであって、シグナリング用途専用のトランスポートフォーマットコンビネーション識別子を有する１つのトランスポートフォーマットコンビネーションを示すトランスポートフォーマットコンビネーションセットの再構成メッセージを、前記特定の基本物理サブチャネルを通じて第２の装置に伝送し、それにより
前記メッセージがトランスポートフォーマットコンビネーション識別子サイズの変化を示す場合、前記第２の装置に関連するパラメータ値を確認し、それに基き、
前記メッセージが示す新しい構成を採用する、または
既存の構成を継続するよう構成される、装置が提供される。
【００２４】
「ＴＦＣＳの再構成メッセージ」という用語は、ＴＦＣＳの設定自身またはその一部を含むメッセージ、またはＴＦＣＳの再構成用途だけを対象としていないメッセージに組み込まれる他のいくつかの情報とともに転送された対応する情報を指す。
【００２５】
「アクティブなトランスポートチャネル」という用語は、ＴＴＩの間に送信されるデータビットを有するトランスポートチャネル、すなわちゼロよりも大きなトランスポートブロックサイズのトランスポートフォーマットを有するトランスポートチャネルを指す。
【００２６】
本発明の一実施態様では、再構成に対して提案された方法は、ネットワーク要素によって利用される。移動局は、異なるＴＦＣＩサイズを有する新しいＴＦＣＳ（アップリンク）構成がネットワーク要素によって移動局に伝送された後であっても、アップリンクデータを送信するために現在のＴＦＣＳを用いる。移動局が依然として古いＤＢＰＳＣＨ上に残っていることを認識したときに、ネットワーク要素は、古い構成を使用して受信したパケットをデコードし、構成メッセージを現在適切に受信およびデコードしている移動局にそのメッセージを再送信する。
【００２７】
従属請求項は、本発明の実施態様を開示する。
【発明の実施態様の詳細な説明】
【００２８】
以下、本発明を添付の図面を参照することによりさらに詳細に説明する。図１、２、および３については、関連する従来技術の説明とともにすでに説明している。
【００２９】
図４は、一例として、移動局４０２が、無線パケットでアップリンク方向のデータを無線アクセスネットワーク（例えば、ＧＥＲＡＮ）４０４に送信するために現在のＴＦＣＳを使用し、そのような各パケットが、ＴＦＣＩによってパケットにシグナリングされたＴＦＣである、現在のＴＦＣＳのＴＦＣを構成する特定のトランスポートフォーマットの１つ以上のトランスポートブロック（ＴＢ）を含む、本発明の実施態様のシナリオを説明するシグナリング図を示す。移動局は、ＴＦＣＩ１を有するパケット４０６、ＴＦＣＩ２を有するパケット４０８、およびＴＦＣＩ３を有するパケット４１０の３つのパケットを伝送し、これらのパケットは複数のトランスポートブロックを含む。ネットワーク４０４は、現在のＴＦＣＳのＴＦＣＩを用いて、適切にパケットを受信しデコードする。しかし現在、いくつかのトランスポートフォーマットコンビネーションの追加／削除により、ＴＦＣＳの構成を更新しなければならない。したがって、ネットワーク４０４は、ＴＦＣＳの再構成メッセージ４１２を移動局４０２に伝送し、このメッセージはＴＦＣＩのサイズの変化を示すので、ネットワーク４０４が命令する新しいＤＢＰＳＣＨの動員が必要となる。残念ながら、メッセージ４１２は、無線経路における障害により、実際にその転送先には決して到達しない。したがって、移動局４０２は、依然として古い構成を使用して、以降のＴＦＣＩ１を有する無線パケット４１６をネットワーク４０４に送信する。しかし、移動局４０２が新しいＤＢＰＳＣＨに切り換わっていない（切り換えはネットワークが新しいＤＢＰＳＣＨをリッスンすることによって監視することができる）ので、ネットワーク４０４は、ＴＣＦＳの再構成メッセージ４１２が移動局４０２によって適切に受信されなかったと判断し、再送信する（４１８）。さらに、ネットワーク４０４は、古い構成を使用して何とか適切にパケット４１６をデコードする。移動局４０２は、新しい構成データを受信し、新しいＤＢＰＳＣＨに切り換えて（４２２）、新しい構成に従って無線パケット４２０を送信する。
【００３０】
ＴＦＣＩのサイズを変化させなければならないという状況を避けるために、例えば５ビットといった最大許容可能値にそのサイズを固定することが可能である。問題となっている基本物理サブチャネル上の全ての有効なＴＦＣを表すのにより少ないビットが実際に必要である場合は、リンクレベルの性能の観点から、この方法は最適ではない。
【００３１】
ＴＦＣＳの再構成メッセージ４１２が失われたがＴＦＣＩのサイズは変化しておらず、したがって新しいＤＢＳＣＨへ切り換える必要がないという更なる可能なシナリオを考慮すると、シグナリングデータに対する静的なＴＦＣおよびＴＦＣＩの提案された基本的原理を用いる場合、ネットワーク４０４は依然として、メッセージ４１６で移動局４０２が伝送したシグナリング情報を理解する。
【００３２】
上述の原理は、いずれの特定の伝送方向または装置に制限されない。それらの原理は、アップリンクおよびダウンリンクの両方、および、例えば移動局およびネットワーク要素（例えば、基地局（ＢＳ）、基地局コントローラ（ＢＳＣ）、またはそれらを組み合わせたもの）において使用することが可能である。
【００３３】
図５は、アップリンク方向における本発明の方法の流れ図を説明したものである。方法の起動（５０２）では、その方法を実行するネットワークエンティティ（例えば、ＢＳ、ＢＳＣ、またはそれらを組み合わせたもの）は、例えば新しいＴＦＣＳの構成を別のネットワークエンティティから受信して特定の接続で使用することが可能である。この代わりに、エンティティ自身が構成の変化の必要性を検出し、動員すべき新しいＴＦＣＳ構成を作成することが可能である。フェーズ５０４では、本発明の前述の基本的な原理に基づいて、特定のＴＦＣＩによって検出され、シグナリング用途専用に割り当てられる同一のＴＦＣが、新しいＴＦＣＳでの同じ目的に対して再度割り当てられる。シグナリングＴＦＣは、ＴＦＣＳの構成メッセージを遠端のパーティが適切に受信しなくても良好なシグナリング伝送を保障するために、上述のように固定した特性を有する。次いで、フェーズ５０６では、残りの更新されたＴＦＣＳの構成を判断する。ＴＦＣＳの再構成メッセージは、新しいＴＦＣＳを示すためのＣＴＦＣを含む、フェーズ５０８で作成される。次に、ＴＦＣＳの再構成メッセージは、フェーズ５１０で移動局に伝送される。新しい構成がＴＦＣＩのサイズの変化を要求する場合（５１２）、例えば、アップリンク方向の移動局によって用いられるＤＢＰＳＣＨの変化を示すパラメータをフェーズ５１６で監視する。移動局は、例えば、新しいＤＢＰＳＣＨへの切り換えに関して、アクセスのバーストを通じてネットワークに通知することが可能である。パラメータは、次いでＤＢＰＳＣＨの変化、または単にネットワークへの同じ情報を暗に示すいくつかの他のパラメータとして考慮することが可能である。ネットワークエンティティがＤＢＰＳＣＨの変化を認識した場合（５１８）、ＴＦＣＩのサイズが変更されなった場合のように、新しい構成をフェーズ５１４で使用することが可能である。それ以外の場合、ネットワークエンティティは、既存の古い構成を継続し（５２０）、ＴＦＣＳの再構成メッセージを再送信することが可能である。本方法は、フェーズ５２２で終了し、ＴＦＣＳの再構成が再び必要になったときに、フェーズ５０２から再び開始する。
【００３４】
図６は、本発明に基づいたデータの処理および伝送が可能な、ネットワーク要素（または独立した要素の組み合わせ）または移動局のような装置の基本的なコンポーネントの１つのオプションを示す。「移動局（ＭＳ）」という用語は、現代の携帯電話に加えて、無線通信が可能な携帯型およびラップトップコンピュータなどの高度なマルチメディア端末を指す。１つ以上の物理メモリチップ間に分割されるメモリ６０４は、例えばコンピュータプログラム／アプリケーションの形態での必要コード６１６と、構成データ６１２（旧）および６１４（新）とを備える。処理ユニット６０２は、メモリ６０４に保存される命令６１６に基づいた方法の実際の実行に必要である。ディスプレイ６０６およびキーパッド６１０は、装置のユーザーに必要な装置の制御およびデータの視覚化手段（ユーザーインターフェイス）を提供するために有用であることが多い、オプションのコンポーネントである。例えば固定データ伝送インターフェイスまたは無線送受信装置、あるいはその両方などのデータ伝送手段は６０８、例えば他の装置からの構成データの受信および他の装置への構成データの伝送などのデータ交換の処理に必要である。提案された方法の実行のためのコード６１６は、フレキシブルディスク、ＣＤ、またはメモリカードのような担体媒体によって保存および供給することができる。
【００３５】
本発明の範囲は、以下の請求項内に見出される。しかし、用いた装置、方法のステップ、データ構造などは、現在のシナリオによっては大きく変化することがあるが、それでも本発明の基本的な概念に合致する。例えば、本発明をアップリンクおよびダウンリンクの伝送に使用してもよいことは明白である。ネットワーク要素に加えて移動局は、ＴＦＣＳ構成（アップリンク、ダウンリンク、またはその両方）を変更するための必要な権限を備え、そのような権限がおそらくは前もってネットワークによって付与される場合には、本発明の方法も用いることができる。さらに、本発明の方法を行う装置は、他の装置に含まれるか、または接続されるモジュール（例えば、チップまたは回路の配置）として使用することが可能である。したがって、このモジュールは全ての構成のタスクの完了に必要な全ての手段を含む必要がなく、例えば、モジュールが移動局に含まれる場合に、接続された装置またはモジュールが含まれる装置における外部手段として利用可能な送受信装置を所望の目的に使用することが可能である。
【図面の簡単な説明】
【００３６】
【図１】ＴＦＣＳの構成を視覚化して説明したものである。
【図２】ＧＥＲＡＮ  ＩｕモードにおけるＦＬＯプロトコルのアーキテクチャを示す。
【図３】ＦＬＯのアーキテクチャを示す。
【図４】本発明の実施態様のシグナリング図を示す。
【図５】本発明の方法の流れ図を説明したものである。
【図６】本発明を用いるように構成した装置のブロック図を説明したものである。
【図１】
2007515085.tif 000003
【図６】
2007515085.tif 000004
【図２】
2007515085.tif 000005
【図３】
2007515085.tif 000006
【図４】
2007515085.tif 000007
【図５】
2007515085.tif 000008
【国際調査報告】
2007515085.tif 000009
2007515085.tif 000010
2007515085.tif 000011